(57)【要約】【課題】画像形成装置側において加工した印刷ジョブ中の印刷環境情報を、以後の印刷ジョブの実行の際にも効率的に再利用すること。【解決手段】印刷ジョブの実行により印刷を終えた後に、その印刷に適用された加工後の印刷環境情報の内容を、ユーザ設定情報保存内容設定画面１２ｏ上にチェックボックス付きで一覧表示する。このユーザ設定情報保存内容設定画面１２ｏ上でユーザによりチェック操作されたチェックボックスの印刷環境項目の印刷環境情報を、ユーザによりチェック操作されたチェックボックスの要素の要素特定情報（識別情報）と関連付けて、ユーザ設定情報名１２ｐと共に、ユーザ設定情報として外部記憶装置１３に記憶させる。【選択図】図１４
2010111024.tif 000002
【特許請求の範囲】
【請求項１】
外部から入力された印刷ジョブ中の印刷環境情報に対する加工を受け付けた場合に、該受け付けた加工を前記印刷環境情報に施した後の前記印刷ジョブに応じた画像を記録紙に印刷する画像形成装置において、
前記受け付けた加工の内容を示す加工情報を、前記受け付けた加工の対象となる前記印刷環境情報を有する前記印刷ジョブ中の該印刷ジョブを識別するための識別情報に関連付けて記憶手段に記憶させる書き込み手段と、
前記印刷ジョブの前記識別情報により前記記憶手段を検索し、該識別情報が前記記憶手段に前記加工情報と関連付けられて記憶されている場合に、該加工情報を前記記憶手段から読み出させる読み出し手段と、
外部から前記印刷ジョブが入力された際に前記記憶手段を前記読み出し手段に検索させ、前記入力された印刷ジョブの前記識別情報に関連付けて前記記憶手段に記憶された前記加工情報を前記読み出し手段が前記記憶手段から読み出させた場合に、該読み出させた加工情報が示す内容の加工を前記印刷環境情報に施した後の前記入力された印刷ジョブに応じた画像を記録紙に印刷させる印刷制御手段と、
を備えることを特徴とする画像形成装置。
【請求項２】
前記印刷環境情報に対する加工を受け付ける度に、前記受け付けた加工の対象となる前記印刷環境情報を有する前記印刷ジョブに含まれる、該印刷ジョブに関連する複数の要素をそれぞれ特定する複数の要素特定情報の中から、所望の要素の前記要素特定情報を選択指示する要素選択指示手段をさらに備えており、
前記書き込み手段は、前記印刷環境情報に対する加工を受け付ける度に、前記受け付けた加工の対象となる前記印刷環境情報を有する前記印刷ジョブ中の、前記要素選択指示手段によって選択指示された前記要素の前記要素特定情報を、前記識別情報として、関連する前記加工情報と共に前記記憶手段に記憶させ、
前記読み出し手段は、前記記憶手段に前記加工情報と関連付けられて前記識別情報として記憶された、前記要素選択指示手段によって選択指示された前記要素の前記要素特定情報の内容に、前記印刷ジョブの前記識別情報に含まれる対応する前記要素の前記要素特定情報の内容が一致した場合に、該内容が一致した前記要素の前記要素特定情報を前記識別情報として、該識別情報に関連付けて記憶された前記加工情報を前記記憶手段から読み出させる、
ことを特徴とする請求項１記載の画像形成装置。
【請求項３】
前記印刷環境情報は、複数の印刷環境項目についてそれぞれ設定されており、
前記各印刷環境項目についてそれぞれ設定された前記印刷環境情報の中から、所望の項目の前記印刷環境情報を選択指示する項目選択指示手段をさらに備えており、
前記書き込み手段は、前記印刷環境情報に対する加工を受け付けた際、前記項目選択指示手段によって前記所望の項目の前記印刷環境情報が選択指示される毎に、該選択指示された前記印刷環境情報に対する加工の内容を示す前記加工情報を、前記要素選択指示手段によって選択指示された前記要素の前記要素特定情報に関連付けて前記記憶手段に記憶させる、
ことを特徴とする請求項２記載の画像形成装置。
【請求項４】
前記書き込み手段により前記加工情報を前記識別情報に関連付けて前記記憶手段に記憶させるか否かを指定する書き込み指定手段をさらに備えており、
前記書き込み手段は、前記書き込み指定手段により前記記憶手段に記憶させると指定された前記加工情報のみを、前記識別情報に関連付けて前記記憶手段に記憶させる、
ことを特徴とする請求項１、２又は３記載の画像形成装置。
【請求項５】
前記読み出し手段により前記記憶手段から読み出させた前記加工情報が示す内容の加工を、前記入力された印刷ジョブ中の前記印刷環境情報に施すか否かを指定する加工指定手段をさらに備えており、
前記印刷制御手段は、前記読み出し手段が前記記憶手段から読み出させた前記加工情報のうち、前記加工指定手段により前記入力された印刷ジョブ中の前記印刷環境情報に施すと指定された前記加工情報に限って、該加工情報が示す内容の加工を前記入力された印刷ジョブ中の前記印刷環境情報に施す、
ことを特徴とする請求項１、２、３又は４記載の画像形成装置。
【請求項６】
前記記憶手段に記憶された前記加工情報を、該加工情報と関連付けられて前記記憶手段に記憶された前記識別情報と共に、他の前記画像形成装置における前記記憶手段にインポート可能なデータ形式で可搬型記憶媒体にエクスポートさせるエクスポート手段をさらに備えていることを特徴とする請求項１、２、３、４又は５記載の画像形成装置。
【発明の詳細な説明】
【技術分野】
【０００１】
本発明は、外部から入力された印刷ジョブ中の印刷環境情報に対する加工を受け付けた場合に、該受け付けた加工を印刷環境情報に施した後の前記印刷ジョブに応じた画像を記録紙に印刷する画像形成装置に関する。
【背景技術】
【０００２】
例えば、パーソナルコンピュータ（以下、「ＰＣ」と略記する。）においてアプリケーションプログラム（以下、「アプリ」と略記することがある。）を用いて作成した印刷データを画像形成装置において印刷する場合には、ＰＣにインストールしたプリンタドライバにおいてその印刷データを中間コードに変換し、ＬＡＮ等のネットワークを介して接続された画像形成装置に印刷ジョブとして入力させている。
【０００３】
その際、アプリ上で作成された印刷データの画像を画像形成装置における印刷によって可能な限り忠実に再現するために、プリンタドライバから画像形成装置に入力される印刷ジョブには、用紙サイズに関する情報や、フォームオーバーレイに関するフォーム情報、色調整に関するカラー情報等の印刷環境情報が多数含められる。
【０００４】
上述した印刷環境情報には、各アプリに対応して標準の設定内容であるデフォルト設定が用意されているが、アプリによっては、又は、作成された印刷データによっては、標準的な設定内容ではユーザの意図する画像を画像形成装置の印刷で再現できない場合がある。そこで、プリンタドライバには、デフォルトの印刷環境情報の内容を変更設定できる機能が設けられている。
【０００５】
また、変更設定した印刷環境情報を記憶しておき、各アプリにおける印刷環境情報の使用頻度や、各アプリにおける印刷環境情報の最終利用履歴等に応じて、次回の印刷ジョブを画像形成装置に出力する際に使用する印刷データの印刷環境情報を、過去に記憶されたものの中から自動的に選択するプリンタドライバも、過去に提案されている（例えば、特許文献１）。
【０００６】
また、プリンタドライバにおいて設定した印刷環境情報をそのプリンタドライバ（をインストールしたＰＣ）ではなく画像形成装置側で保存し、次の印刷ジョブの発生時に、ＰＣからユーザを指定して画像形成装置に要求することで、保存された印刷環境情報を画像形成装置から要求元のＰＣに呼び出せるようにして、使用するＰＣが変わっても過去に設定した印刷環境情報を再利用できるようにする提案も、過去に行われている（例えば、特許文献２）。
【０００７】
ところが、印刷データから中間データへのデータ変換ロジックの特性や、画像形成装置において中間データをラスタライズ（ビットマップ化）するロジックの特性等に起因して、印刷環境情報をいくら細かく設定しても、画像形成装置の印刷により再現される画像のレイアウトがユーザの満足できる精度に収まらない場合がある。また、印刷データがスキャナによって読み取られたイメージデータである場合に、読み取り元の画像が本や冊子の一部であるときには、スキャナによって読み込まれてしまう綴じ代の部分の陰影を印刷の際に消去しなければならないことがある。
【０００８】
これらの状況に対処するためには、中間データへの変換によってデジタル化された印刷データを画像形成装置においてラスタライズ（ビットマップ化）した後に、その印刷データによる画像の印刷を画像形成装置において繰り返しながら、画像のレイアウトや画像の不要部分の消去に関する印刷環境情報の修正（加工）を画像形成装置において入力設定せざるを得ない。元々の印刷データの画像の色と画像形成装置において印刷される画像の色とに相違がある場合にも、色指定に関する印刷環境情報の修正（加工）は、画像形成装置において入力設定せざるを得ない。
【０００９】
このような、画像形成装置において入力設定される印刷環境情報の保存、再利用に関しては、過去に入力設定した印刷環境情報の修正（加工）内容をユーザ毎に分けて画像形成装置に保存しておいて、以後、同じユーザからの印刷ジョブが入力された際に、そのユーザについて保存されている内容に、入力された印刷ジョブの印刷環境情報を修正（加工）して、画像の印刷を行う提案が、過去に行われている（例えば、特許文献３）。
【特許文献１】特開２００１−７５７６２号公報
【特許文献２】特開２００６−５３７１７号公報
【特許文献３】特開平７−１４１１３４号公報
【発明の開示】
【発明が解決しようとする課題】
【００１０】
画像形成装置において行った印刷環境情報の修正（加工）内容を再利用することを前提とした場合、プリンタドライバにおいて変更設定した印刷環境情報を保存しておく従来技術は、保存する対象が異なるので、利便性の向上に貢献するものは何ら存在しない。
【００１１】
また、画像形成装置において過去に入力設定した印刷環境情報の修正（加工）内容をユーザ毎に分けて保存する従来技術は、その印刷環境情報の修正（加工）内容を過去に入力設定したユーザが再利用できるだけに止まるものであって、同一ユーザ限定という枠組みを超えた汎用性がない。
【００１２】
一方、画像形成装置において印刷環境情報の修正（加工）内容を入力設定する必要に迫られる原因はユーザ毎に異なる場合もあるが、それだけに限られるわけではなく、むしろ、それ以外のファクタが原因で、画像形成装置において印刷環境情報の修正（加工）内容を入力設定する必要に迫られることも、無視できないほど多数に及ぶ。
【００１３】
本発明は前記事情に鑑みなされたものであり、本発明の目的は、外部から入力された印刷ジョブ中の印刷環境情報を画像形成装置側において加工して記録紙への印刷を行った場合に、その加工内容を以後の印刷ジョブの実行の際にも効率的に再利用することができる画像形成装置を提供することにある。
【課題を解決するための手段】
【００１４】
上記目的を達成するために、請求項１に記載した本発明の画像形成装置は、外部から入力された印刷ジョブ中の印刷環境情報に対する加工を受け付けた場合に、該受け付けた加工を前記印刷環境情報に施した後の前記印刷ジョブに応じた画像を記録紙に印刷する画像形成装置において、
前記受け付けた加工の内容を示す加工情報を、前記受け付けた加工の対象となる前記印刷環境情報を有する前記印刷ジョブ中の該印刷ジョブを識別するための識別情報に関連付けて記憶手段に記憶させる書き込み手段と、
前記印刷ジョブの前記識別情報により前記記憶手段を検索し、該識別情報が前記記憶手段に前記加工情報と関連付けられて記憶されている場合に、該加工情報を前記記憶手段から読み出させる読み出し手段と、
外部から前記印刷ジョブが入力された際に前記記憶手段を前記読み出し手段に検索させ、前記入力された印刷ジョブの前記識別情報に関連付けて前記記憶手段に記憶された前記加工情報を前記読み出し手段が前記記憶手段から読み出させた場合に、該読み出させた加工情報が示す内容の加工を前記印刷環境情報に施した後の前記入力された印刷ジョブに応じた画像を記録紙に印刷させる印刷制御手段と、
を備えることを特徴とする。
【００１５】
上記した請求項１に記載した本発明の画像形成装置において、「印刷ジョブ」は、印刷する原稿（写真や図形、文字等）の画像データと共に、「印刷環境情報」を含んでいる。この「印刷環境情報」は、「印刷ジョブ」中の画像データによる原稿を画像形成装置において印刷する際の印刷環境を、「印刷ジョブ」の出力元（例えば、画像形成装置に接続されたクライアント端末）から指定するための情報である。
【００１６】
また、「印刷ジョブ」は、上述した原稿の画像データや「印刷環境情報」の他に、「識別情報」を含んでいる。この「識別情報」は、個々の「印刷ジョブ」を識別（特定）するためのものである。「識別情報」としては、例えば、画像形成装置に入力される「印刷ジョブ」の出力元であるクライアント端末のコンピュータに登録されているコンピュータのユーザ名、クライアント端末のコンピュータに登録されているコンピュータの名前であるＰＣ名、この「印刷ジョブ」のジョブ名（例えば、「印刷ジョブ」中の画像データのファイル名に中間データの識別子を付けたもの）、あるいは、印刷対象の原稿の画像データを生成したアプリケーションプログラムを示すアプリ名、等が挙げられる。
【００１７】
さらに、上記した請求項１に記載した本発明の画像形成装置においては、「識別情報」と共に「印刷ジョブ」に含まれる「印刷環境情報」に対する加工が受け付けられる場合がある。この加工とは、画像形成装置の外部から入力された時点における「印刷環境情報」の内容を、それとは異なる内容に加工することを意味する。受け付けられた加工の内容は、「加工情報」によって示される。この「加工情報」は、狭義では、純粋に変更された内容のみを示すものであり、広義では、変更後の「印刷環境情報」の内容を示すものである。請求項１に記載した本発明の画像形成装置における「加工情報」は、狭義、広義どちらの概念のものであってもよい。
【００１８】
そして、上記した請求項１に記載した本発明の画像形成装置においては、入力された「印刷ジョブ」の「印刷環境情報」に対する加工が受け付けられた場合、受け付けられた加工の内容を示す「加工情報」は、「印刷ジョブ」の識別情報と関連付けて記憶手段に必ず記憶させるようにしてもよく、そうではなく必要に応じて記憶させるようにしてもよい。例えば、繰り返して発生した同じ内容の「印刷ジョブ」の「印刷環境情報」に、それぞれ同じ内容の加工が受け付けられた場合を考える。この場合、各「印刷ジョブ」の「印刷環境情報」に関する「加工情報」を識別情報と関連付けてその都度記憶手段に記憶させると、内容が全く同じ識別情報及び「加工情報」の組み合わせを、記憶手段に複数組記憶させることになる。そのようにすることは、記憶手段の記憶容量をむやみに消耗しないようにする上で、避けることが望ましい場合がある。そこで、「印刷環境情報」に対する加工を受け付けた「印刷ジョブ」が入力されても、その内容次第で、入力された「印刷ジョブ」の識別情報と関連付けて「印刷環境情報」に関する「加工情報」を記憶手段に記憶させないようにしてもよい。
【００１９】
ところで、外部から入力された「印刷ジョブ」が、「印刷環境情報」に加工を加えずに実行された場合、その「印刷ジョブ」の「印刷環境情報」に対する「加工情報」は存在しない。「加工情報」が存在しないことから、その「印刷ジョブ」の識別情報が「加工情報」と関連付けて記憶手段に記憶されることもない。したがって、請求項１に記載した本発明の画像形成装置において、外部から入力された「印刷ジョブ」には、「加工情報」と関連付けて識別情報が記憶手段に記憶される「印刷ジョブ」と、そうでない「印刷ジョブ」とが存在することになる。このように、画像形成装置の外部から入力される「印刷ジョブ」は、加工情報と共に記憶手段に記憶される識別情報によって特定（識別）される「印刷ジョブ」も、そうでない「印刷ジョブ」も含むので、単に「印刷ジョブ」という文言で、画像形成装置の外部から入力される「印刷ジョブ」を表現することができない。
【００２０】
そこで、本発明の画像形成装置においては、上述した請求項１のみならず、特許請求の範囲の全体を通して、「画像形成装置の外部から入力された印刷ジョブ」を、特に、「外部から入力された印刷ジョブ」、「外部から前記印刷ジョブが入力された際に」、又は、「前記入力された印刷ジョブ」という文言で、画像形成装置の外部から入力される「印刷ジョブ」を表現している。
【００２１】
そして、請求項１に記載した本発明の画像形成装置によれば、外部から入力された印刷ジョブ中の印刷環境情報に対する加工を受け付けて、その加工を印刷環境情報に施した後の印刷ジョブに応じた画像を記録紙に印刷する際に、受け付けた加工の内容を示す加工情報が、その加工を施す対象となった印刷環境情報を含む印刷ジョブ中の、その印刷ジョブを識別するための識別情報に関連付けて、書き込み手段によって記憶手段に記憶される。
【００２２】
また、その後に外部から印刷ジョブが入力された際には、読み出し手段が記憶手段を検索する。そして、加工情報に関連付けて記憶手段に記憶されている、過去に入力された印刷ジョブの識別情報の中に、今回入力された印刷ジョブの識別情報と同じ識別情報が存在する場合には、その識別情報と関連付けられた、過去に入力された印刷ジョブの印刷環境情報に加えた加工の内容を示す加工情報を、読み出し手段が記憶手段から読み出させる。
【００２３】
そして、印刷制御手段の制御によって、読み出し手段により記憶手段から読み出した加工情報によって示される内容の加工が、今回外部から入力された印刷ジョブの印刷環境情報に対して施され、さらに、この加工が施された後の印刷ジョブに応じた画像が記録紙に印刷される。
【００２４】
したがって、過去に外部から入力された印刷ジョブの印刷環境情報について受け付けた加工の内容が、その加工を印刷環境情報に施した過去の印刷ジョブの識別情報と一致する識別情報を有する印刷ジョブが後に入力された時に記憶手段から読み出されて、その印刷ジョブの印刷環境情報の加工に再利用されることになる。
【００２５】
このため、過去の印刷ジョブと識別情報の内容が共通する印刷ジョブの印刷環境情報を、過去の印刷ジョブの実行時に行ったのと同じ内容で加工する際に、改めて印刷環境情報の加工内容を画像形成装置において入力設定する必要を無くし、過去の加工内容を他のユーザを含めて効率的に再利用することができる。
【００２６】
また、請求項２に記載した本発明の画像形成装置は、請求項１に記載した本発明の画像形成装置において、
前記印刷環境情報に対する加工を受け付ける度に、前記受け付けた加工の対象となる前記印刷環境情報を有する前記印刷ジョブに含まれる、該印刷ジョブに関連する複数の要素をそれぞれ特定する複数の要素特定情報の中から、所望の要素の前記要素特定情報を選択指示する要素選択指示手段をさらに備えており、
前記書き込み手段は、前記印刷環境情報に対する加工を受け付ける度に、前記受け付けた加工の対象となる前記印刷環境情報を有する前記印刷ジョブ中の、前記要素選択指示手段によって選択指示された前記要素の前記要素特定情報を、前記識別情報として、関連する前記加工情報と共に前記記憶手段に記憶させ、
前記読み出し手段は、前記記憶手段に前記加工情報と関連付けられて前記識別情報として記憶された、前記要素選択指示手段によって選択指示された前記要素の前記要素特定情報の内容に、前記印刷ジョブの前記識別情報に含まれる対応する前記要素の前記要素特定情報の内容が一致した場合に、該内容が一致した前記要素の前記要素特定情報を前記識別情報として、該識別情報に関連付けて記憶された前記加工情報を前記記憶手段から読み出させる、
ことを特徴とする。
【００２７】
請求項２に記載した本発明の画像形成装置においては、「識別情報」が複数の「要素特定情報」を有していることになる。各「要素特定情報」は、印刷ジョブに関連する「要素」を特定するもので、ここで言う「要素」としては、例えば、上述したユーザ名、ＰＣ名、ジョブ名、及び、アプリ名等の項目がある。したがって、各「要素特定情報」は、例えば、上述したユーザ名、ＰＣ名、ジョブ名、及び、アプリ名等の具体的な内容である。
【００２８】
そして、請求項２に記載した本発明の画像形成装置によれば、請求項１に記載した本発明の画像形成装置において、外部から入力された印刷ジョブの印刷環境情報に対する加工を受け付ける度に書き込み手段が記憶手段に書き込む加工情報と関連付ける識別情報は、印刷ジョブに関連する複数の要素特定情報（例えば、ユーザ名、ＰＣ名、ジョブ名、及び、アプリ名等の具体的な内容）のうち、要素選択指示手段によってその都度選択指示された種類の要素特定情報である。
【００２９】
よって、１番目に外部から入力された印刷ジョブの印刷環境情報に対する加工を受け付けた際に、要素選択指示手段によって選択指示された要素特定情報と、２番目に外部から入力された印刷ジョブの印刷環境情報に対する加工を受け付けた際に、要素選択指示手段によって選択指示された要素特定情報とが、それぞれ異なる要素についてのものである場合には、１番目の印刷ジョブについて受け付けた印刷環境情報に対する加工情報と関連付けられて記憶手段に記憶される要素特定情報と、２番目の印刷ジョブについて受け付けた印刷環境情報に対する加工情報と関連付けられて記憶手段に記憶される要素特定情報とは、各印刷ジョブ毎に異なる。
【００３０】
したがって、外部から入力された印刷ジョブの印刷環境情報に対する加工を受け付けた際に書き込み手段によって記憶手段に記憶させる加工情報は、外部から以後入力される印刷ジョブのうち、特定の要素についての要素特定情報の内容が一致する印刷ジョブに限って、その印刷環境情報の加工に利用されることになる。
【００３１】
例えば、１番目に外部から入力された印刷ジョブの加工情報を記憶手段に記憶させる場合と２番目に外部から入力された印刷ジョブの加工情報を記憶手段に記憶させる場合とで、各印刷ジョブの識別情報としてそれぞれの加工情報に関連付けて記憶手段に記憶させる要素特定情報の要素の種類（パターン）を異ならせると、加工情報を記憶手段から読み出して印刷環境情報の加工に利用する印刷ジョブの対象が、１番目の印刷ジョブの加工情報と２番目の印刷ジョブの加工情報とでは、必ずしも一致しないことになる。
【００３２】
具体的に例示すると、１番目に外部から入力された印刷ジョブの加工情報に関連付けて、例えば、ジョブ名とアプリ名という２つの要素についての要素特定情報を要素選択指示手段により選択指示して、識別情報として記憶手段に記憶させたものとする。また、２番目に外部から入力された印刷ジョブの加工情報に関連付けて、例えば、ユーザ名という１つの要素についての要素特定情報だけを要素選択指示手段により選択指示して、識別情報として記憶手段に記憶させたものとする。
【００３３】
この場合に、３番目以降に外部から入力される印刷ジョブが、１番目の印刷ジョブの識別情報として記憶手段に記憶されている２つの要素についての要素特定情報（ジョブ名及びアプリ名の内容）と内容が一致する要素特定情報（ジョブ名及びアプリ名の内容）を、識別情報中に有する印刷ジョブであれば、それら２つの要素についての要素特定情報と関連付けて記憶手段に記憶されている加工情報によって示される内容の加工が、その印刷ジョブの印刷環境情報に反映されることになる。
【００３４】
また、３番目以降に外部から入力される印刷ジョブが、２番目の印刷ジョブの識別情報として記憶手段に記憶されている１つの要素についての要素特定情報（ユーザ名の内容）と内容が一致する要素特定情報（ユーザ名の内容）を、識別情報中に有する印刷ジョブであれば、その１つの要素についての要素特定情報と関連付けて記憶手段に記憶されている加工情報によって示される内容の加工が、その印刷ジョブの印刷環境情報に反映されることになる。
【００３５】
したがって、過去に入力されて印刷環境情報に対する加工を受け付けた印刷ジョブの加工情報と関連付けて、その印刷ジョブの識別情報として記憶手段に記憶させる要素特定情報の要素を、各印刷ジョブ毎に異ならせることで、今後入力される印刷ジョブのうち、記憶手段の加工情報と同じ内容の加工を印刷環境情報に対して施す対象の印刷ジョブを、その加工情報と関連付けて記憶手段に記憶された要素特定情報と内容が一致する要素特定情報を識別情報中に有する印刷ジョブに限定することができる。
【００３６】
なお、請求項２に記載した本発明の画像形成装置においては、外部から入力された印刷ジョブの印刷環境情報に対する加工を受け付けた際に、要素選択指示手段によって、例えば、ジョブ名とアプリ名という２つの要素のうちジョブ名の要素特定情報を選択指定し、これを加工情報に関連付けて書き込み手段により記憶手段に記憶させた後に、今度は要素選択指示手段によってアプリ名の要素特定情報を選択指定し、これを同じ加工情報に関連付けて書き込み手段により記憶手段に記憶させる場合もある。つまり、ある印刷ジョブの印刷環境情報に対する加工を受け付けた場合に、要素選択指示手段が所望の要素の要素特定情報を選択指示する機会は、必ずしも１回だけであるとは限らず、複数回である場合もある。
【００３７】
さらに、請求項３に記載した本発明の画像形成装置は、請求項２に記載した本発明の画像形成装置において、
前記印刷環境情報が、複数の印刷環境項目についてそれぞれ設定されており、
前記各印刷環境項目についてそれぞれ設定された前記印刷環境情報の中から、所望の項目の前記印刷環境情報を選択指示する項目選択指示手段をさらに備えており、
前記書き込み手段が、前記印刷環境情報に対する加工を受け付けた際、前記項目選択指示手段によって前記所望の項目の前記印刷環境情報が選択指示される毎に、該選択指示された前記印刷環境情報に対する加工の内容を示す前記加工情報を、前記要素選択指示手段によって選択指示された前記要素の前記要素特定情報に関連付けて前記記憶手段に記憶させる、
ことを特徴とする。
【００３８】
請求項３に記載した本発明の画像形成装置においては、「印刷環境情報」が、複数の「印刷環境項目」についてそれぞれ設定されていることになる。各「印刷環境項目」としては、例えば、印刷速度、印刷濃度、印刷位置、及び、分版エリア（画像形成装置が多色孔版印刷装置である場合）等が挙げられる。
【００３９】
そして、請求項３に記載した本発明の画像形成装置によれば、請求項２に記載した本発明の画像形成装置において、外部から入力された印刷ジョブの印刷環境情報に対する加工を受け付けた際、項目選択指示手段によって、複数の印刷環境項目の印刷環境情報（例えば、印刷速度、印刷濃度、印刷位置、及び、分版エリアに関する印刷環境情報）のうち所望の印刷環境項目の印刷環境情報が選択指示される毎に、選択指示された印刷環境項目の印刷環境情報に対して受け付けた加工に関する加工情報が、複数の要素特定情報（例えば、ユーザ名、ＰＣ名、ジョブ名、及び、アプリ名等の具体的な内容）のうち要素選択指示手段によって選択指示された要素の要素特定情報に関連付けて、書き込み手段によって記憶手段に書き込まれる。
【００４０】
このため、１つの印刷ジョブに関する印刷環境情報に対する加工が受け付けられると、項目選択指示手段により所望の印刷環境項目の印刷環境情報が選択指示される毎に、項目選択指示手段によって選択指示された印刷環境項目の印刷環境情報に対する加工情報が、要素選択指示手段によって選択指示された要素の要素特定情報と関連付けて、その都度記憶手段に記憶されることになる。
【００４１】
よって、１つの印刷ジョブに関する印刷環境情報に対する加工が受け付けられた際に、外部から今後入力される印刷ジョブの印刷環境情報に対して適用する加工の内容を示す加工情報を、これと関連付けて記憶手段に記憶される要素特定情報によって特定される適用対象の印刷ジョブとの組み合わせで、複数パターン記憶させておくことができる。
【００４２】
なお、請求項３に記載した本発明の画像形成装置では、例えば、ある印刷ジョブの印刷濃度についての印刷環境情報に対する加工を受け付けた場合に、印刷濃度についての印刷環境情報を項目選択指示手段によって選択指示し、この印刷濃度についての印刷環境情報を、ジョブ名の要素特定情報とアプリ名の要素特定情報とのそれぞれに関連付けて、書き込み手段により記憶手段に記憶させる場合がある。この場合には、ジョブ名の要素特定情報と関連付ける印刷環境情報として、印刷濃度の印刷環境情報を項目選択指示手段によって選択指示し、これとは別に、アプリ名の要素特定情報と関連付ける印刷環境情報として、印刷濃度の印刷環境情報を項目選択指示手段によって選択指示することになる。つまり、特定の項目の印刷環境情報を、互いに異なる要素の要素特定情報にそれぞれ関連付けて記憶手段に記憶させる場合には、各要素の要素特定情報にそれぞれ関連付けて記憶手段に記憶させる度に、特定の項目の印刷環境情報を項目選択指示手段によって選択指示することになる。
【００４３】
さらに、請求項４に記載した本発明の画像形成装置は、請求項１、２又は３に記載した本発明の画像形成装置において、
前記書き込み手段により前記加工情報を前記識別情報に関連付けて前記記憶手段に記憶させるか否かを指定する書き込み指定手段をさらに備えており、
前記書き込み手段が、前記書き込み指定手段により前記記憶手段に記憶させると指定された前記加工情報のみを、前記識別情報に関連付けて前記記憶手段に記憶させる、
ことを特徴とする。
【００４４】
請求項４に記載した本発明の画像形成装置によれば、請求項１、２又は３に記載した本発明の画像形成装置において、印刷環境情報に対する加工を受け付けた印刷ジョブについては、その加工の内容を示す加工情報を毎回必ず記憶手段に記憶させる訳ではなく、書き込み手段により記憶手段に記憶させると指定された印刷ジョブの加工情報のみを、識別情報に関連付けて記憶手段に記憶させることになる。
【００４５】
このため、今後外部から入力される印刷ジョブの印刷環境情報の加工に利用する必要のある加工情報のみを、選択的に記憶手段に記憶させておくことができる。
【００４６】
また、請求項５に記載した本発明の画像形成装置は、請求項１、２、３又は４に記載した本発明の画像形成装置において、
前記読み出し手段により前記記憶手段から読み出させた前記加工情報が示す内容の加工を、前記入力された印刷ジョブ中の前記印刷環境情報に施すか否かを指定する加工指定手段をさらに備えており、
前記印刷制御手段が、前記読み出し手段が前記記憶手段から読み出させた前記加工情報のうち、前記加工指定手段により前記入力された印刷ジョブ中の前記印刷環境情報に施すと指定された前記加工情報に限って、該加工情報が示す内容の加工を前記入力された印刷ジョブ中の前記印刷環境情報に施す、
ことを特徴とする。
【００４７】
請求項５に記載した本発明の画像形成装置によれば、請求項１、２、３又は４に記載した本発明の画像形成装置において、外部からの印刷ジョブの入力に伴って読み出し手段が記憶手段を検索した結果、入力された印刷ジョブの識別情報と一致する識別情報に関連付けた加工情報が記憶手段から１又は複数読み出されても、加工指定手段により指定された加工情報しか、入力された印刷ジョブの印刷環境情報の加工には利用されない。
【００４８】
そのため、識別情報が一致する過去の印刷ジョブの印刷環境情報に対して行われた加工の内容を示す加工情報が記憶手段から読み出し手段によって読み出されても、今回の印刷ジョブにおいて印刷環境情報の加工に利用するか否かをその都度決めて、不要な場合には過去の加工の内容を印刷環境情報の加工に利用しないようにすることができる。
【００４９】
請求項６に記載した本発明の画像形成装置は、請求項１、２、３、４又は５に記載した本発明の画像形成装置において、前記記憶手段に記憶された前記加工情報を、該加工情報と関連付けられて前記記憶手段に記憶された前記識別情報と共に、他の前記画像形成装置においてインポート可能なデータ形式で可搬型記憶媒体にエクスポートさせるエクスポート手段をさらに備えていることを特徴とする。
【００５０】
請求項６に記載した本発明の画像形成装置によれば、請求項１、２、３、４又は５に記載した本発明の画像形成装置において、外部から入力された印刷ジョブの印刷環境情報に対する加工を受け付ける度に、識別情報に関連付けて書き込み手段によって記憶手段に書き込まれた加工情報が、エクスポート手段によって識別情報と共に、他の画像形成装置における前記記憶手段にインポート可能なデータ形式で可搬型記憶媒体にエクスポートされることになる。
【００５１】
したがって、ある画像形成装置のエクスポート手段によってエクスポートされて可搬型記憶媒体に記録された、その画像形成装置の記憶手段に記憶、蓄積された加工情報とこれに関連付けられた識別情報とを、他の画像形成装置においてインポートさせてその画像形成装置の記憶手段に記憶させることができるようになる。
【００５２】
このため、ある画像形成装置の記憶手段に記憶、蓄積された加工情報とこれに関連付けられた識別情報とを、他の画像形成装置においても利用できるようにして、複数の画像形成装置による加工情報の共有化を図ることができる。
【発明の効果】
【００５３】
本発明によれば、識別情報の内容が共通する印刷ジョブの印刷環境情報を過去の印刷ジョブの実行時に行ったのと同じ内容で加工する際に、改めて印刷環境情報の加工内容を画像形成装置において入力設定する必要を無くし、過去の加工内容を他のユーザを含めて効率的に再利用できるようにすることができる。
【発明を実施するための最良の形態】
【００５４】
以下、本発明の実施形態について図面を参照しながら説明する。
【００５５】
図１は、本発明による画像形成装置の一実施形態に係る孔版印刷装置の概略構成を示す説明図、図２は図１の孔版印刷装置とこの孔版印刷装置に印刷ジョブを出力するクライアント端末との電気的な概略構成を示すブロック図である。
【００５６】
図１に示す本実施形態の孔版印刷装置１は、中間搬送部８を用いて給紙部５の記録紙Ｐを排紙部６に搬送する間に、第１及び第２の２つのドラム１０ａ，１０ｂを有する印刷部４において、２色の孔版印刷を記録紙Ｐに対して行うものである。
【００５７】
そのために、孔版印刷装置１は、第１及び第２の２つのドラム１０ａ，１０ｂにおいてそれぞれ使用する孔版原紙（図示せず）を製版する製版部３と、第１ドラム１０ａにおいて使用した孔版原紙を使用後に回収、収容する第１排版部７ａと、第２ドラム１０ｂにおいて使用した孔版原紙を使用後に回収、収容する第２排版部７ｂと、搬送中の記録紙Ｐを第１ドラム１０ａや第２ドラム１０ｂにそれぞれ圧接させるプレスローラ１１ａ，１１ｂとを備えている。
【００５８】
なお、本実施形態の孔版印刷装置１は、不図示の原稿上の画像を読み取って記録紙Ｐに複写する機能も有している。そのために、装置の上部には原稿読取部２が設けられている。
【００５９】
また、装置の上部には、原稿読取部２の他に、装置の動作や設定に関する状態を表示したり、ユーザの操作による各種設定入力を受け付けるための操作パネル部１２が設けられている。この操作パネル部は、後に図面を用いて説明するように、表示内容が可変なディスプレイとその表示面を覆うユーザ操作検出用のタッチパネルとによって構成することができる。
【００６０】
上述した原稿読取部２、製版部３、印刷部４（第１ドラム１０ａ、第２ドラム１０ｂ）、給紙部５，排紙部６、第１排版部７ａ、第２排版部７ｂ、中間搬送部８、及び、操作パネル部１２は、いずれも電気的に制御される要素を含んでいる。これらの要素の動作は、孔版印刷装置１の内部に設けられた図２の制御部９によって制御される。
【００６１】
次に、外部から入力される印刷ジョブ（請求項中における「外部から入力された印刷ジョブ」、又は、「前記入力された印刷ジョブ」に相当）にしたがって孔版印刷装置１が記録紙Ｐに画像を印刷することを前提に、制御部９の詳細な構成について、図２を参照して説明する。
【００６２】
制御部９は、ＲＯＭ１５に格納された制御プログラムに基づいて各種の処理を実行するＣＰＵ１６と、ＣＰＵ１６のワーキングエリアとして機能するＲＡＭ１７とを備えている。ＣＰＵ１６には、上述の原稿読取部２、製版部３、印刷部４（第１ドラム１０ａ、第２ドラム１０ｂ）、給紙部５，排紙部６、第１排版部７ａ、第２排版部７ｂ、中間搬送部８、及び、操作パネル部１２の他に、外部記憶装置１３（請求項中の記憶手段に相当）、外部インターフェイス部１４、及び、セットされた可搬型のメモリカード４０（請求項中の可搬型記憶媒体に相当）に対するデータのリードライトを行うリーダライタ１８が接続されている。
【００６３】
外部インターフェイス部１４には、ＬＡＮ等のネットワーク回線２０を介してクライアント端末３０の外部インターフェイス部３７が接続されている。クライアント端末３０は、ＰＣ（パーソナルコンピュータ）等によって構成されるものであり、ＲＯＭ３２に格納された制御プログラムに基づいて各種の処理を実行するＣＰＵ３１と、ＣＰＵ３１のワーキングエリアとして機能するＲＡＭ３３と、キーボードやマウス等から構成される入力部３４と、液晶ディスプレイ等から構成される出力部３５とを備えている。
【００６４】
ＣＰＵ３１には、上述した外部インターフェイス部３７の他に、外部記憶装置３６が接続されている。外部記憶装置３６には、画像データを生成するためのアプリケーションプログラムの格納領域や、孔版印刷装置１のプリンタドライバプログラムの格納領域、アプリケーションプログラムを用いて生成された画像データのデータベース領域、及び、プリンタドライバプログラムにおける印刷環境情報の、標準的な内容やユーザによってカスタマイズされた内容等のデータベース領域が確保されている。
【００６５】
ＣＰＵ３１は、入力部３４から入力される起動要求にしたがって外部記憶装置３６のアプリケーションプログラムを起動させ、また、入力部３４からのパラメータ入力等により指示された内容の画像データ（文字や記号等のキャラクタのみによる画像データを含む）を、起動されたアプリケーションプログラム上において生成する。生成された画像データは出力部３５において表示出力され、また、入力部３４から保存要求が入力された場合には、外部記憶装置３６の画像データのデータベース領域に記憶される。
【００６６】
外部記憶装置３６のデータベース領域に記憶された画像データは、アプリケーションプログラムの起動中に入力部３４からの読み出し要求が入力された場合に、外部記憶装置３６から読み出される。読み出された画像データは、出力部３５に表示出力することができ、また、アプリケーションプログラム上において加工して新たな画像データに生成し直すこともできる。
【００６７】
また、ＣＰＵ３１は、アプリケーションプログラム上において生成した画像データによる画像の印刷要求が入力部３４から入力された場合に、外部記憶装置３６のプリンタドライバプログラムを起動させる。また、ＣＰＵ３１は、起動されたプリンタドライバプログラムにおいて、画像の印刷に必要な印刷環境情報として、外部記憶装置３６の印刷環境情報のデータベース領域に格納されている、標準的な内容の印刷環境情報やユーザによってカスタマイズされた印刷環境情報の内容を読み出させる。
【００６８】
そして、ＣＰＵ３１は、アプリケーションプログラムの起動中に入力部３４から印刷指令が入力された場合に、印刷対象の画像の画像データを印刷環境情報と共に、孔版印刷装置１に対応する中間データに変換した印刷ジョブを、外部インターフェイス部３７からネットワーク回線２０を介して制御部９の外部インターフェイス部１４に出力する。
【００６９】
なお、印刷ジョブには、印刷ジョブを識別（特定）するための識別情報が含まれる。この識別情報は、印刷ジョブに関連する複数の要素についてその内容をそれぞれ特定する複数の要素特定情報を含んでいる。ここで、要素とは、例えば、クライアント端末３０において登録されて外部記憶装置３６に記憶されているユーザ名、外部記憶装置３６に予め記憶、登録されているクライアント端末３０の名前であるＰＣ名、この印刷ジョブのジョブ名（例えば、印刷ジョブ中の画像データのファイル名に中間データの識別子を付けたもの）、及び、印刷対象の画像の画像データを生成したアプリケーションプログラムを示すアプリ名を含んでいる。そして、要素特定情報とは、ユーザ、ＰＣ、ジョブ、及び、アプリケーションプログラムの各要素の内容を特定する情報である。
【００７０】
また、印刷ジョブの印刷環境情報は、複数の印刷環境項目について設定される。印刷環境項目には、例えば、印刷速度、印刷濃度、印刷位置、及び、分版エリアが含まれる。このうち、印刷速度は、孔版印刷装置１においてこの印刷ジョブによる画像データの画像を印刷する速度を示すものである。印刷環境情報に相当する印刷速度の値は、要求される画像の印刷品質が高ければ高いほど、低い値に設定される。また、印刷環境項目の一つである印刷濃度は画像の印刷時の濃淡、同じく印刷環境項目の一つである印刷位置は、記録紙Ｐのサイズや向き、余白設定等に応じて定まる画像の標準印刷位置に対する、実際の画像の印刷位置である。印刷環境情報に相当する印刷位置の値は、記録紙Ｐの天地左右方向のずれ量によって規定される。
【００７１】
さらに、印刷環境項目の一つである分版エリアについて詳説する。印刷ジョブを実行して画像を２色印刷する図１の孔版印刷装置１は、印刷部４の第１及び第２の２つの回転ドラム１０ａ，１０ｂが各色の印刷を分担して行う（分版）。このとき、画像中のどの領域を第１及び第２の各回転ドラム１０ａ，１０ｂでそれぞれ印刷するかは、第１及び第２の各回転ドラム１０ａ，１０ｂにそれぞれ割り当てられた印刷色に応じて、印刷する画像を色分解することによって決定される。
【００７２】
そこで、印刷環境情報中の分版エリアに関する印刷環境情報は、第１及び第２の各回転ドラム１０ａ，１０ｂにそれぞれ割り当てる印刷色と、それに応じて決定された第１及び第２の各回転ドラム１０ａ，１０ｂによる画像の印刷領域との設定内容を、その内容としている。
【００７３】
なお、上述した色分解は、図２のクライアント端末３０においてＣＰＵ３１が実行するプリンタドライバプログラム上において自動的に行われる。この色分解の結果は、プリンタドライバプログラムの起動中に出力部３５に表示されるプリンタドライバ画面（図示せず）のマニュアル分版メニューを選択することで、出力部３５にポップアップ表示される、図３のマニュアル分版設定画面３５ａにおいて確認、変更することができる。
【００７４】
次に、上述した印刷ジョブが図２の外部インターフェイス１３を介してＣＰＵ１６に入力される孔版印刷装置１の制御部９は、図１の操作パネル部１２に、図４の基本メニュー画面１２Ａを表示している。この基本メニュー画面１２Ａは、設定内容に応じた複数のタブを有しており、デフォルトで表示されるのは図４の「基本」のタブ画面である。基本メニュー画面１２Ａにおける入力によって、クライアント端末３０から受け取った印刷ジョブ中の印刷環境情報に対する加工を要求することができる。
【００７５】
例えば、印刷環境情報中の分版エリアについての加工を要求する場合には、基本メニュー画面１２Ａの「基本」のタブ画面にある「デジタイザ」のボタン１２Ｂをタッチ操作することで、ＣＰＵ１６によって、図５のデジタイザ画面１２ａを操作パネル部１２に表示させることができる。このデジタイザ画面１２ａには、クライアント端末３０において決定されて印刷ジョブの印刷環境情報中の分版エリアに関する印刷環境情報として現在設定されている内容で、第１及び第２の各回転ドラム１０ａ，１０ｂによる２色の印刷を分担して行った場合に、記録紙Ｐ上に印刷されるであろう印刷予想画像Ｉの内容が、表示される。
【００７６】
図５のデジタイザ画面１２ａに表示された印刷予想画像Ｉは、元々、「あ」が赤色、「い」が黒色、「う」が青色、「え」が薄紫色、「お」が茶色である画像である。ここで、入力された印刷ジョブの印刷環境情報中の分版エリアに関する印刷環境情報として、例えば、第１回転ドラム１０ａの印刷色が黒色、第２回転ドラム１０ｂの印刷色が赤色、という内容がそれぞれ設定されているものとする。すると、分版結果は、第１回転ドラム１０ａによって「い」、「う」、「え」を印刷し、第２ドラム１０ｂで「あ」、「お」を印刷するという割り当てになる。
【００７７】
これに対して、ユーザの希望は、「え」の部分がより鮮明となるような、第１回転ドラム１０ａによって「い」、「う」を印刷し、第２ドラム１０ｂで「あ」、「え」、「お」を印刷するという割り当てであるとすると、「え」の割り当てを第１回転ドラム１０ａから第２回転ドラム１０ｂに修正する必要が生じる。
【００７８】
そこで、図５のデジタイザ画面１２ａのツールメニュー１２ａ´中にあるポインタ１２ｂによって、ユーザが印刷予想画像Ｉ上の「え」の部分を範囲指定して、印刷予想画像Ｉ上の「え」の部分を加工対象に指定すると、ＣＰＵ１６は、デジタイザ画面１２ａに表示するツールメニュー１２ａ´の内容を、図５に示す範囲指定用のメニューから図６に示す加工内容入力用のメニューに切り替える。
【００７９】
そして、ＣＰＵ１６がメニューを切り替えたツールメニュー１２ａ´中にある色指定ボタン１２ｂ´をユーザがタッチ操作すると、ＣＰＵ１６は、図７の色指定画面１２ｃを操作パネル部１２に表示する。この色指定画面１２ｃには、第１回転ドラム１０ａに設定された印刷色の黒色と、第２回転ドラム１０ｂに設定された印刷色の赤色とが、ボタン１２ｄ，１２ｅの形式で表示される。
【００８０】
そして、黒色（ブラック）と表示された第１回転ドラム１０ａのボタン１２ｄが、色指定画面１２ｃ上でユーザによりタッチ操作され、さらに、確認ボタン１２ｋがタッチ操作されると、ＣＰＵ１６は、図５のデジタイザ画面１２ａのポインタ１２ｂによって範囲指定された印刷予想画像Ｉ上の「え」の部分を、第１回転ドラム１０ａにおいて黒色で印刷する設定に、印刷環境情報中の分版エリアに関する印刷環境情報の内容を変更（加工）する。
【００８１】
また、図７の色指定画面１２ｃの赤色（レッド）と表示された第２回転ドラム１０ｂのボタン１２ｅが、色指定画面１２ｃ上でユーザによりタッチ操作され、さらに、確認ボタン１２ｋがタッチ操作されると、ＣＰＵ１６は、図５のデジタイザ画面１２ａのポインタ１２ｂによって範囲指定された印刷予想画像Ｉ上の「え」の部分を、第２回転ドラム１０ｂにおいて赤色で印刷する設定に、印刷環境情報中の分版エリアに関する印刷環境情報の内容を変更（加工）する。
【００８２】
さらに、図７の色指定画面１２ｃ上でボタン１２ｄ，１２ｅのどちらかがユーザによりタッチ操作され、さらに、確認ボタン１２ｋがタッチ操作されると、ＣＰＵ１６は、印刷環境情報中の分版エリアに関する印刷環境情報の内容に対する、印刷予想画像Ｉ上の「え」の部分についてユーザが指定した変更（加工）内容を確定させる。そして、ＣＰＵ１６は、操作パネル部１２の表示を、図７の色指定画面１２ｃから図８の分版結果問い合わせ画面１２ｃ´に切り替える。ここで、分版結果を表示しない「いいえ」のボタン１２ｅ´がユーザによりタッチ操作された場合は、ＣＰＵ１６は、操作パネル部１２の表示を図８の分版結果問い合わせ画面１２ｃ´から図６のデジタイザ画面１２ａに切り替える。
【００８３】
一方、分版結果を表示する「はい」のボタン１２ｄ´がユーザによりタッチ操作された場合は、ＣＰＵ１６は、図９（ａ）に示すように、ユーザによりタッチ操作されたボタン１２ｄ，１２ｅに応じた内容に印刷環境情報中の分版エリアに関する印刷環境情報の内容を変更した後の、記録紙Ｐ上に印刷されるであろう印刷予想画像Ｉのうち、第１回転ドラム１０ａにおいて黒色で印刷されるであろう部分の印刷予想部分画像Ｉａを示す分版結果画面１２ｆを、操作パネル部１２に表示する。
【００８４】
また、分版結果画面１２ｆのメニューボタン中の第２回転ドラムボタン１２ｉがユーザによりタッチ操作されると、ＣＰＵ１６は、操作パネル部１２の表示を、図９（ｂ）に示すように、ユーザによりタッチ操作されたボタン１２ｄ，１２ｅに応じた内容に印刷環境情報中の分版エリアに関する印刷環境情報の内容を変更した後の、記録紙Ｐ上に印刷されるであろう印刷予想画像Ｉのうち、第２回転ドラム１０ｂにおいて赤色で印刷されるであろう部分の印刷予想部分画像Ｉｂを示す分版結果画面１２ｇに切り替える。分版結果画面１２ｇのメニューボタン中の第１回転ドラムボタン１２ｈがユーザによりタッチ操作されると、ＣＰＵ１６は、操作パネル部１２の表示を図９（ａ）の分版結果画面１２ｆに切り替える。
【００８５】
そして、図９（ａ）や図９（ｂ）の分版結果画面１２ｆ，１２ｇにおいて、黒色と赤色で記録紙Ｐ上にそれぞれ印刷されるであろう印刷予想部分画像Ｉａ，Ｉｂの内容を確認して、問題がないと判断したユーザにより、分版結果画面１２ｆ，１２ｇのメニューボタン中の「ＯＫ」ボタン１２ｊがタッチ操作されると、ＣＰＵ１６は、操作パネル部１２の表示を、図６のデジタイザ画面１２ａに切り替える。
【００８６】
以上のようにして操作パネル部１２の操作により入力された分版エリアの情報内容に対するユーザの加工要求は、図６のデジタイザ画面１２ａにおける「ＯＫ」ボタン１２ｂ″のタッチ操作によって確定される。ユーザによって「ＯＫ」ボタン１２ｂ″がタッチ操作されると、ＣＰＵ１６は、デジタイザ画面１２ａに表示するツールメニュー１２ａ´の内容を、図６の加工内容入力用のメニューから図５の範囲指定用のメニューに切り替える。そして、ユーザによって編集終了ボタン１２ａ″がタッチ操作されると、ＣＰＵ１６は、操作パネル部１２の表示を上述した図４の基本メニュー画面１２Ａに切り替える。
【００８７】
そして、基本メニュー画面１２Ａ上で印刷開始を指示する入力がユーザによって行われると、ＣＰＵ１６は、現在の各印刷環境項目に関する印刷環境情報の設定内容にしたがった記録紙Ｐに対する画像の印刷を、孔版印刷装置１において実行させる。
【００８８】
また、ＣＰＵ１６は、孔版印刷装置１における記録紙Ｐに対する画像の印刷の実行後に、図１０に示す印刷ジョブ終了確認画面１２ｌを操作パネル部１２に表示する。この印刷ジョブ終了確認画面１２ｌには、実行した印刷の印刷環境情報中の、加工（内容変更）した印刷環境項目に関する印刷環境情報の内容を、ユーザ設定情報として保存するか否かを問い合わせるメッセージと、「保存する」ボタン１２ｍ及び「保存しない」ボタン１２ｎとを含んでいる。
【００８９】
印刷ジョブ終了確認画面１２ｌ上で「保存しない」ボタン１２ｎがユーザによってタッチ操作されると、ＣＰＵ１６は、操作パネル部１２の表示を上述した図４の基本メニュー画面１２Ａに切り替える。さらに、印刷ジョブ終了確認画面１２ｌ上で「保存する」ボタン１２ｍがユーザによってタッチ操作されると、ＣＰＵ１６は、操作パネル部１２の表示を、図１１に示すユーザ設定情報保存内容設定画面１２ｏに切り替える。
【００９０】
このユーザ設定情報保存内容設定画面１２ｏには、印刷ジョブ中の識別情報として入力されたユーザ名、ＰＣ名、ジョブ名、及び、アプリ名の各項目とそれらの内容である要素特定情報や、今回の印刷に適用された最終的な印刷速度、印刷濃度、印刷位置、及び、分版エリアの各印刷環境項目とそれらの内容である印刷環境情報が、チェックボックス付きでそれぞれ表示される。また、ユーザ設定情報保存内容設定画面１２ｏには、ＣＰＵ１６が自動的に付与するユーザ設定情報名１２ｐが表示される。
【００９１】
そこで、ユーザが、ユーザ設定情報保存内容設定画面１２ｏ上で、識別情報の各要素のうち所望の要素のチェックボックスと、印刷環境情報の各項目のうち印刷環境情報を加工（内容変更）した所望の項目のチェックボックスと、を適宜選択してチェック操作すると、図１２に示すように、ＣＰＵ１６は、チェック操作されたチェックボックスにチェックマークをそれぞれ表示させる。これと共に、無効表示状態としていた「保存する」ボタン１２ｑを有効表示状態とする。
【００９２】
そして、ユーザが有効表示状態の「保存する」ボタン１２ｑをタッチ操作すると、ＣＰＵ１６は、チェックマークがチェックボックスに表示された要素の要素特定情報（識別情報）と、チェックマークがチェックボックスに表示された印刷環境項目の印刷環境情報とを関連付けて、ユーザ設定情報名１２ｐと共に、外部記憶装置１３に記憶させ、操作パネル部１２の表示を、図１３に示すように、チェックボックスにチェックマークが全く表示されていないデフォルト状態のユーザ設定情報保存内容設定画面１２ｏに切り替える。このとき、ＣＰＵ１６は、ユーザ設定情報名１２ｐを新たに自動付与し、ユーザ設定情報保存内容設定画面１２ｏに表示させる。また、ＣＰＵ１６は、「保存する」ボタン１２ｑを無効表示状態とする。
【００９３】
なお、ユーザが有効表示状態の「保存する」ボタン１２ｑをタッチ操作する前に、操作パネル部１２に同時に表示される入力キー（図示せず）のタッチ操作によって、ユーザの好みの名前を入力することで、ユーザ設定情報保存内容設定画面１２ｏに表示されるユーザ設定情報名１２ｐ（「保存する」ボタン１２ｑのタッチ操作により外部記憶装置１３に記憶されるユーザ設定情報名１２ｐ）を、図１２に示すように、ＣＰＵ１６が自動的に付与する内容から変更することができる。
【００９４】
そして、ユーザが改めて、ユーザ設定情報保存内容設定画面１２ｏ上で、識別情報の各要素のうち所望の要素のチェックボックスと、印刷環境情報の各項目のうち印刷環境情報を加工（内容変更）した所望の項目のチェックボックスと、を別のパターンで適宜選択してチェック操作すると、図１４に示すように、ＣＰＵ１６は、チェック操作されたチェックボックスにチェックマークをそれぞれ表示させる。これと共に、無効表示状態としていた「保存する」ボタン１２ｑを有効表示状態とする。
【００９５】
したがって、ユーザが有効表示状態の「保存する」ボタン１２ｑをタッチ操作することで、チェックマークがチェックボックスに表示された要素の要素特定情報（識別情報）と、チェックマークがチェックボックスに表示された印刷環境項目の印刷環境情報とを関連付けて、ユーザ設定情報名１２ｐと共に、ＣＰＵ１６によって外部記憶装置１３に新たに記憶させることができる。
【００９６】
必要な内容のユーザ設定情報を保存させ終わった時点でユーザがユーザ設定情報保存内容設定画面１２ｏ上の「終了」ボタン１２ｒボタンをタッチ操作すると、ＣＰＵ１６は、操作パネル部１２の表示を上述した図４の基本メニュー画面１２Ａに切り替える。
【００９７】
以上のようなユーザの操作パネル部１２上における一連のタッチ操作等によって、ユーザ設定情報保存内容設定画面１２ｏ上でチェックマークがチェックボックスに表示された印刷環境項目の印刷環境情報を、ユーザ設定情報保存内容設定画面１２ｏ上でチェックマークがチェックボックスに表示された要素の要素特定情報（識別情報）と関連付けて、ユーザ設定情報名１２ｐと共に、ユーザ設定情報として外部記憶装置１３に記憶させることができる。
【００９８】
また、外部記憶装置１３にユーザ設定情報として記憶させた印刷環境項目の印刷環境情報は、その印刷環境情報と関連付けて外部記憶装置１３に記憶された要素の要素特定情報（識別情報）と内容が一致する要素特定情報（識別情報）を有する印刷ジョブが、以後に制御部９に入力された際に、ＣＰＵ１６によって外部記憶装置１３から読み出させて、その印刷ジョブを実行する際に適用することができる。
【００９９】
例えば、外部記憶装置１３に記憶された要素の要素特定情報（識別情報）と内容が一致する要素特定情報（識別情報）を有する印刷ジョブを、ユーザがクライアント端末３０から孔版印刷装置１に出力したものとする。すると、制御部９のＣＰＵ１６は、図１７のユーザ設定情報復元確認画面１２ｓを操作パネル部１２に表示させる。
【０１００】
このユーザ設定情報復元確認画面１２ｓには、外部記憶装置１３に記憶されたユーザ設定情報中の要素特定情報（識別情報）と内容が全項目一致する、制御部９に入力された印刷ジョブ中の要素特定情報（識別情報）の要素と、これと関連付けて外部記憶装置１３に記憶された印刷環境項目の印刷環境情報とが表示される。
【０１０１】
また、要素特定情報（識別情報）の各要素と印刷環境情報の各印刷環境項目は、チェックマーク付きのチェックボックスと共に表示される。即ち、デフォルトでは、外部記憶装置１３から読み出された要素特定情報（識別情報）の各要素と印刷環境情報の全印刷環境項目が選択された状態にある。これらのうち印刷環境情報の各印刷環境項目は、ユーザ設定情報復元確認画面１２ｓ上でユーザがチェックボックスをチェック操作してチェックマークを外すことで、項目毎に選択解除することができる。
【０１０２】
ＣＰＵ１６は、印刷環境情報が最低１つの印刷環境項目だけでも選択されていれば、ユーザ設定情報復元確認画面１２ｓに表示されている「復元する」ボタン１２ｔを有効表示状態とし、そうでなければ「復元する」ボタン１２ｔを無効表示状態とする。
【０１０３】
そして、ユーザ設定情報復元確認画面１２ｓ上で「復元しない」ボタン１２ｔ´がユーザによってタッチ操作されると、ＣＰＵ１６は、操作パネル部１２の表示を基本メニュー画面における図１５の「機能一覧」のタブ画面に切り替える。
【０１０４】
一方、ユーザ設定情報復元確認画面１２ｓ上で有効表示状態の「復元する」ボタン１２ｔがユーザによってタッチ操作されると、ＣＰＵ１６は、チェックボックスにチェックマークが表示された印刷環境項目に関する印刷環境情報を、制御部９に入力された印刷ジョブの対応する印刷環境項目に関する印刷環境情報の内容に上書きして、操作パネル部１２の表示を基本メニュー画面における図１５の「機能一覧」のタブ画面に切り替える。
【０１０５】
さらに、図４の基本メニュー画面１２Ａ上で印刷開始を指示する入力がユーザによって行われると、ＣＰＵ１６は、現在の各印刷環境項目に関する印刷環境情報の設定内容にしたがった記録紙Ｐに対する画像の印刷を、孔版印刷装置１において実行させる。
【０１０６】
上述したように、本実施形態の孔版印刷装置１においては、ある印刷ジョブの実行の際にユーザが操作パネル部１２上で入力した印刷環境項目についての加工後の印刷環境情報の内容を、ユーザが選択した要素の要素特定情報（識別情報）と関連付けて、ユーザ設定情報として外部記憶装置１３に記憶させ、このユーザ設定情報中の要素特定情報（識別情報）と内容が一致する要素特定情報（識別情報）を有する印刷ジョブが以後に入力された際に、外部記憶装置１３からユーザ設定情報を読み出させて、読み出させたユーザ設定情報によって設定された印刷環境項目についての加工後の印の印刷環境情報を、入力された印刷ジョブの実行時に、同じ印刷環境項目の印刷環境情報として適用させることができる。
【０１０７】
また、要素特定情報（識別情報）と関連付けてユーザ設定情報として外部記憶装置１３に記憶させた印刷環境項目についての加工後の印刷環境情報の内容は、メモリカード４０（図２参照）にエクスポートさせ、さらに、他の孔版印刷装置１において外部記憶装置１３にインポートさせることで、その孔版印刷装置１に入力される印刷ジョブの実行時に、同じ印刷環境項目の印刷環境情報として適用させることもできる。
【０１０８】
この場合には、ユーザは、孔版印刷装置１の操作パネル部１２において、基本メニュー画面１２Ａ中の「機能一覧」のタブをタッチ操作する。これにより、制御部９のＣＰＵ１６は、操作パネル部１２の表示を、図４の「基本」のタブ画面から図１５の「機能一覧」のタブ画面に切り替えさせる。
【０１０９】
さらに、ユーザは、「機能一覧」のタブ画面上にある印刷環境情報のボタン１２Ｃをタッチ操作する。これにより、制御部９のＣＰＵ１６は、図１６の印刷環境情報画面１２Ｄを操作パネル部１２に表示させる。そして、ユーザが、印刷環境情報画面１２Ｄ上にあるデータエクスポートのボタン１２Ｆをタッチ操作した上で、画面右上の確認ボタン１２Ｉをタッチ操作する。これにより、制御部９のＣＰＵ１６は、図１８のユーザ設定情報書き出し内容確認画面１２ｕを操作パネル部１２に表示させる。
【０１１０】
このユーザ設定情報書き出し内容確認画面１２ｕには、外部記憶装置１３に記憶されているユーザ設定情報名１２ｐが、チェックボックス付きで一覧表示される。
【０１１１】
そこで、ユーザが、ユーザ設定情報書き出し内容確認画面１２ｕ上で、エクスポートするユーザ設定情報名１２ｐのチェックボックスを適宜選択してチェック操作すると、ＣＰＵ１６は、チェック操作されたチェックボックスにチェックマークをそれぞれ表示させる。これと共に、無効表示状態としていた「選択した項目を書き出す」ボタン１２ｖを有効表示状態とする。
【０１１２】
そして、ユーザが有効表示状態の「選択した項目を書き出す」ボタン１２ｖをタッチ操作すると、ＣＰＵ１６は、チェックマークがチェックボックスに表示されたユーザ設定情報名１２ｐのユーザ設定情報を、リーダライタ１８（図２参照）にセットされたメモリカード４０に対して外部記憶装置１３から転写、記憶（エクスポート）させる。
【０１１３】
必要な内容のユーザ設定情報をメモリカード４０に転写、記憶（エクスポート）させ終わった時点でユーザがユーザ設定情報書き出し内容確認画面１２ｕ上の「終了」ボタン１２ｗボタンをタッチ操作すると、ＣＰＵ１６は、操作パネル部１２の表示を図１６の印刷環境情報画面１２Ｄに戻す。さらに、印刷環境情報画面１２Ｄの取消ボタン１２Ｈをユーザがタッチ操作することで、ＣＰＵ１６は、操作パネル部１２の表示を基本メニュー画面における図１５の「機能一覧」のタブ画面に切り替える。
【０１１４】
さらに、本実施形態の孔版印刷装置１では、他の孔版印刷装置１において可搬型のメモリカード４０にエクスポートされた、識別情報（要素特定情報）とこれに関連付けられた印刷環境情報の加工後の内容を、外部記憶装置１３にインポートして、以後入力される印刷ジョブの実行時に適用させることもできる。
【０１１５】
この場合には、ユーザは、孔版印刷装置１の操作パネル部１２において、基本メニュー画面１２Ａ中の「機能一覧」のタブをタッチ操作する。これにより、制御部９のＣＰＵ１６は、操作パネル部１２の表示を、図４の「基本」のタブ画面から図１５の「機能一覧」のタブ画面に切り替えさせる。
【０１１６】
さらに、ユーザは、「機能一覧」のタブ画面上にある印刷環境情報のボタン１２Ｃをタッチ操作する。これにより、制御部９のＣＰＵ１６は、図１６の印刷環境情報画面１２Ｄを操作パネル部１２に表示させる。そして、ユーザが、印刷環境情報画面１２Ｄ上にあるデータインポートのボタン１２Ｅをタッチ操作した上で、画面右上の確認ボタン１２Ｉをタッチ操作する。これにより、制御部９のＣＰＵ１６は、図１９のユーザ設定情報読み込み内容確認画面１２ｘを操作パネル部１２に表示させる。
【０１１７】
このユーザ設定情報読み込み内容確認画面１２ｘには、リーダライタ１８にセットされたメモリカード４０に記憶されている、識別情報（要素特定情報）と関連付けて外部記憶装置１３に記憶されている印刷環境情報のユーザ設定情報名１２ｐが、チェックボックス付きで一覧表示される。
【０１１８】
そこで、ユーザが、ユーザ設定情報読み込み内容確認画面１２ｘ上で、インポートする識別情報と印刷環境情報のユーザ設定情報名１２ｐのチェックボックスを適宜選択してチェック操作すると、ＣＰＵ１６は、チェック操作されたチェックボックスにチェックマークをそれぞれ表示させる。これと共に、無効表示状態としていた「選択した項目を読み込む」ボタン１２ｙを有効表示状態とする。
【０１１９】
そして、ユーザが有効表示状態の「選択した項目を読み込む」ボタン１２ｙをタッチ操作すると、ＣＰＵ１６は、チェックマークがチェックボックスに表示されたユーザ設定情報名１２ｐの要素特定情報（識別情報）とこれに関連付けられた印刷環境情報とを、リーダライタ１８にセットされたメモリカード４０から、ユーザ設定情報名１２ｐと共に、外部記憶装置１３に転写、記憶（インポート）させる。
【０１２０】
必要な内容のユーザ設定情報をメモリカード４０から外部記憶装置１３に転写、記憶（インポート）させ終わった時点でユーザがユーザ設定情報読み込み内容確認画面１２ｘ上の「終了」ボタン１２ｚボタンをタッチ操作すると、ＣＰＵ１６は、操作パネル部１２の表示を図１６の印刷環境情報画面１２Ｄに戻す。さらに、印刷環境情報画面１２Ｄの取消ボタン１２Ｈをユーザがタッチ操作することで、ＣＰＵ１６は、操作パネル部１２の表示を基本メニュー画面における図１５の「機能一覧」のタブ画面に切り替える。
【０１２１】
本実施形態の孔版印刷装置１における以上のような動作は、制御部９のＣＰＵ１６がＲＯＭ１５に格納された制御プログラムを実行することで実現される。この制御プログラムを実行することでＣＰＵ１６が行う処理の手順を、図２０乃至図２６のフローチャートを参照して説明する。
【０１２２】
まず、孔版印刷装置１の電源が投入された後、ＣＰＵ１６は、孔版印刷装置１の電源が切断されるまでの間、印刷ジョブ割込要求確認処理、データエクスポート割込要求確認処理、及び、データインポート割込要求確認処理を、それぞれに個別に設定された適当な周期毎に、繰り返し実行する。
【０１２３】
このうち、印刷ジョブ割込要求確認処理では、図２０に示すように、印刷ジョブが入力されたか否かを判断し（ステップＳ１ａ）、入力されていない場合は（ステップＳ１ａでＮＯ）、ＣＰＵ１６は、印刷ジョブ割込要求確認処理を終了する。一方、印刷ジョブが入力された場合は（ステップＳ１ａでＹＥＳ）、ＣＰＵ１６は、図２３を参照して後述する印刷ジョブ実行処理を行った後（ステップＳ１ｂ）、印刷ジョブ割込要求確認処理を終了する。
【０１２４】
また、データエクスポート割込要求確認処理では、図２１に示すように、図１６の印刷環境情報画面１２Ｄ上にあるデータエクスポートのボタン１２Ｆのタッチ操作によって、ユーザ設定情報のデータエクスポートが要求されたか否かを判断する（ステップＳ３ａ）。要求されていない場合は（ステップＳ３ａでＮＯ）、データエクスポート割込要求確認処理を終了する。一方、要求された場合は（ステップＳ３ａでＹＥＳ）、図２５を参照して後述するデータエクスポート処理を行った後（ステップＳ３ｂ）、データエクスポート割込要求確認処理を終了する。
【０１２５】
さらに、データインポート割込要求確認処理では、図２２に示すように、図１６の印刷環境情報画面１２Ｄ上にあるデータインポートのボタン１２Ｅのタッチ操作によって、ユーザ設定情報のデータインポートが要求されたか否かを判断する（ステップＳ５ａ）。要求されていない場合は（ステップＳ５ａでＮＯ）、データインポート割込要求確認処理を終了する。一方、要求された場合は（ステップＳ５ａでＹＥＳ）、図２６を参照して後述するデータインポート処理を行った後（ステップＳ５ｂ）、データインポート割込要求確認処理を終了する。
【０１２６】
そして、ステップＳ１ｂの印刷ジョブ実行処理において、ＣＰＵ１６は、まず、図２３に示すように、外部記憶装置１３に記憶されているいずれかのユーザ設定情報の印刷環境情報に関連付けた要素特定情報（識別情報）が、入力された印刷ジョブ中の要素特定情報（識別情報）と一致するか否かを判断する（ステップＳ１２）。
【０１２７】
外部記憶装置１３のいずれのユーザ設定情報の要素特定情報（識別情報）も、入力された印刷ジョブ中の要素特定情報（識別情報）と一致しない場合は（ステップＳ１２でＮＯ）、ＣＰＵ１６は、後述するステップＳ１５に処理を移行する。一方、外部記憶装置１３のいずれかのユーザ設定情報の要素特定情報（識別情報）が、入力された印刷ジョブ中の要素特定情報（識別情報）と一致する場合は（ステップＳ１２でＹＥＳ）、操作パネル部１２のユーザによる操作によって入力される、印刷ジョブの実行の際に、同じ印刷環境項目の印刷環境情報として適用する対象のユーザ設定情報の指定を受け付ける（ステップＳ１３）。
【０１２８】
印刷ジョブの実行の際に印刷環境情報を適用するユーザ設定情報の指定は、図１７のユーザ設定情報復元確認画面１２ｓのチェックボックスのチェック操作や「復元する」ボタン１２ｔのタッチ操作によって、受け付けることができる。また、図１７のユーザ設定情報復元確認画面１２ｓの「復元しない」ボタン１２ｔ´のタッチ操作によって、印刷ジョブの実行の際に印刷環境情報を適用するユーザ設定情報がないことの指定を、受け付けることができる。そして、ＣＰＵ１６は、指定されたユーザ設定情報の印刷環境情報を外部記憶装置１３から読み出して、入力された印刷ジョブ中の対応する項目の印刷環境情報に上書きする（ステップＳ１４）。その後、ＣＰＵ１６は、ステップＳ１５に処理を移行する。
【０１２９】
ステップＳ１５において、ＣＰＵ１６は、入力された印刷ジョブ中の印刷環境情報に対する加工が要求されたか否かを判断する。印刷環境情報に対する加工の要求は、その旨を要求する入力が操作パネル部１２の基本メニュー画面上において行われたか否かによって判断することができる。加工が要求されていない場合は（ステップＳ１５でＮＯ）、ＣＰＵ１６は、後述するステップＳ１９に処理を移行する。一方、印刷環境情報に対する加工が要求された場合は（ステップＳ１５でＹＥＳ）、ＣＰＵ１６は、操作パネル部１２のユーザによる操作によって入力される、印刷環境項目とその印刷環境項目の印刷環境情報に対する加工内容を受け付ける（ステップＳ１６）。
【０１３０】
印刷環境項目とその印刷環境項目の印刷環境情報に対する加工内容は、例えば、図５のデジタイザ画面１２ａのポインタ１２ｂの操作や、図７の色指定画面１２ｃ上における第１回転ドラム１０ａや第２回転ドラム１０ｂのボタン１２ｄ，１２ｅ、あるいは、「確定」ボタン１２ｋの操作等によって受け付けることができる。そして、ＣＰＵ１６は、受け付けた加工内容を、入力された印刷ジョブ中の対応する印刷環境項目の印刷環境情報に上書きする（ステップＳ１７）。そして、ＣＰＵ１６は、ＲＡＭ１７の加工フラグエリアのフラグＦ（デフォルトでは「０」）を「１」に設定した後（ステップＳ１８）、ステップＳ１９に処理を移行する。
【０１３１】
ステップＳ１９では、ＣＰＵ１６は、印刷開始の指示が入力されたか否かを判断する。印刷開始の指示は、操作パネル部１２の不図示の基本メニュー画面上において印刷開始を指示する入力がユーザによって行われたか否かによって判断することができる。印刷開始の指示が入力されていない場合は（ステップＳ１９でＮＯ）、ＣＰＵ１６は、ステップＳ１２に処理を移行する。印刷開始の指示が入力された場合は（ステップＳ１９でＹＥＳ）、ＣＰＵ１６は、現在の印刷環境情報の設定内容にしたがった記録紙Ｐに対する画像の印刷を実行する（ステップＳ２０）。その後、ステップＳ２１に処理を移行する。
【０１３２】
図２４に示すように、ステップＳ２１では、ＲＡＭ１７の加工フラグＦが「１」であるか否かを確認する。加工フラグＦが「１」でない場合は、ＣＰＵ１６は、印刷ジョブ実行処理を終了する。加工フラグＦが「１」である場合は、ＣＰＵ１６は、ステップＳ２０で実行した印刷の印刷環境情報の内容をユーザ設定情報として保存する指示が入力されたか否かを判断する（ステップＳ２２）。
【０１３３】
具体的には、図１０の印刷ジョブ終了確認画面１２ｌの「保存する」ボタン１２ｍのタッチ操作を検出することによって、保存指示が入力されたものと判断することができる。また、印刷ジョブ終了確認画面１２ｌの「保存しない」ボタン１２ｎのタッチ操作を検出することによって、保存指示が入力されなかったものと判断することができる。
【０１３４】
ユーザ設定情報の保存指示が入力されなかった場合は（ステップＳ２２でＮＯ）、ＣＰＵ１６は、ステップＳ２５に処理を移行する。一方、保存指示が入力された場合は（ステップＳ２２でＹＥＳ）、ユーザ設定情報として保存する内容の指定を受け付ける（ステップＳ２３）。ユーザ設定情報として保存する内容の指定は、図１１乃至図１４に示すユーザ設定情報保存内容設定画面１２ｏの、チェックボックスのチェック操作や「保存する」ボタン１２ｑ及び「終了」ボタン１２ｒのタッチ操作等によって受け付けることができる。そして、ＣＰＵ１６は、指定された内容のユーザ設定情報を外部記憶装置１３に記憶させる（ステップＳ２４）。そして、ＣＰＵ１６は、ＲＡＭ１７の加工フラグＦを「０」に設定した後（ステップＳ２５）、印刷ジョブ実行処理を終了する。
【０１３５】
次に、ステップＳ３ｂ（図２１参照）のデータエクスポート処理において、ＣＰＵ１６は、図２５に示すように、エクスポートするユーザ設定情報の指定を受け付ける（ステップＳ３３）。
【０１３６】
エクスポートするユーザ設定情報の指定は、図１８のユーザ設定情報書き出し内容確認画面１２ｕのチェックボックスのチェック操作や「選択した項目を書き出す」ボタン１２ｖのタッチ操作によって、受け付けることができる。そして、ＣＰＵ１６は、指定されたユーザ設定情報を外部記憶装置１３から読み出して、リーダライタ１８にセットされたメモリカード４０に転写、記憶（エクスポート）させる（ステップＳ３５）。その後、データエクスポート処理を終了する。
【０１３７】
続いて、ステップＳ５ｂ（図２２参照）のデータインポート処理において、ＣＰＵ１６は、図２６に示すように、リーダライタ１８にセットされたメモリカード４０に記憶されているユーザ設定情報のうち、インポートするユーザ設定情報の指定を受け付ける（ステップＳ５３）。
【０１３８】
インポートするユーザ設定情報の指定は、図１９のユーザ設定情報読み込み内容確認画面１２ｘのチェックボックスのチェック操作や「選択した項目を読み込む」ボタン１２ｙのタッチ操作によって、受け付けることができる。そして、ＣＰＵ１６は、指定されたユーザ設定情報を、リーダライタ１８によりメモリカード４０から読み出させて外部記憶装置１３に書き込む（インポートする、ステップＳ５５）。その後、ＣＰＵ１６は、データエクスポート処理を終了する。
【０１３９】
以上の説明からも明らかなように、本実施形態の孔版印刷装置１においては、図２４のフローチャートにおけるステップＳ２１乃至ステップＳ２４が、請求項中の書き込み手段に対応する処理となっている。また、本実施形態の孔版印刷装置１においては、図２３のフローチャートにおけるステップＳ１２乃至ステップＳ１４が、請求項中の読み出し手段に対応する処理となっている。さらに、本実施形態の孔版印刷装置１においては、図２３中のステップＳ１４及びステップＳ２０が、請求項中の印刷制御手段に対応する処理となっている。
【０１４０】
また、本実施形態の孔版印刷装置１においては、図２４中のステップＳ２３の処理を実行するＣＰＵ１６と操作パネル部１２とによって、請求項中の要素選択指示手段及び項目選択指示手段がそれぞれ構成されている。さらに、本実施形態の孔版印刷装置１においては、図２４中のステップＳ２２が、請求項中の書き込み指定手段に対応する処理となっている。
【０１４１】
また、図２３中のステップＳ１３が、請求項中の加工指定手段に対応する処理となっている。さらに、本実施形態の孔版印刷装置１においては、図２１のステップＳ３ｂにおいてデータエクスポート処理として実行される図２５中のステップＳ３３及びステップＳ３５が、請求項中のエクスポート手段に対応する処理となっている。
【０１４２】
上述した手順による処理をＣＰＵ１６が実行する本実施形態の孔版印刷装置１によれば、外部から入力された印刷ジョブの印刷環境情報について受け付けた加工の内容（印刷環境情報）が、識別情報に関連付けて、印刷の終了後にユーザ設定情報として外部記憶装置１３に記憶される。
【０１４３】
そして、外部記憶装置１３に記憶されたユーザ設定情報の識別情報（ユーザの指定した項目の要素特定情報）と内容が一致する識別情報の印刷ジョブが後に入力されたとき（請求項中の「外部から前記印刷ジョブが入力された際に」に相当）に、対応付けて記憶された印刷環境情報が外部記憶装置１３から読み出されて、その印刷ジョブの印刷環境情報の加工に再利用されることになる。
【０１４４】
このため、過去の印刷ジョブと識別情報の内容が共通する印刷ジョブの印刷環境情報を、過去の印刷ジョブの実行時に行ったのと同じ内容で加工する際に、改めて印刷環境情報の加工内容を操作パネル部１２の操作等によって入力設定する必要を無くし、過去の加工内容を効率的に再利用することができる。
【０１４５】
しかも、本実施形態の孔版印刷装置１によれば、印刷の終了後に外部記憶装置１３に記憶させる印刷環境情報の加工内容（印刷環境情報）と関連付ける識別情報を、印刷ジョブ中の識別情報のうち、ユーザの指定した項目の要素特定情報に限定するので、識別情報として選択する要素特定情報の種類（パターン）を異ならせることによって、過去の印刷ジョブの印刷環境情報に対して行ったのと同じ加工を印刷環境情報に施す印刷ジョブの対象を、例えば、その加工の内容（性質）に応じて適切に限定することができる。
【０１４６】
なお、外部記憶装置１３のユーザ設定情報をメモリカード４０にエクスポートするための構成や、メモリカード４０のユーザ設定情報を外部記憶装置１３にインポートするための構成は、省略してもよい。しかし、これらの構成を設ければ、ある孔版印刷装置１の外部記憶装置１３に記憶、蓄積されたユーザ設定情報を他の孔版印刷装置１の外部記憶装置１３に複写して利用できるようにし、複数の孔版印刷装置１によってユーザ設定情報の共有化を図ることができるので、有利である。
【０１４７】
ちなみに、本実施形態では、図２０の印刷ジョブ割込要求確認処理と、図２１のデータエクスポート割込要求確認処理と、図２２のデータインポート割込要求確認処理とを、それぞれに個別の周期で独立してＣＰＵ１６が実行する場合を例に取って説明した。しかし、これらの割込要求確認処理を同じ周期毎に連続して実行するようにしてもよい。
【０１４８】
この場合、印刷ジョブ割込要求確認処理において印刷ジョブの入力が確認された場合は、それに続いて、図２３の印刷ジョブ実行処理を行った後、データエクスポート割込要求確認処理を行うことになる。また、データエクスポート割込要求確認処理においてユーザ設定情報のデータエクスポートが要求された場合は、それに続いて、図２５のデータエクスポート処理を行った後、データインポート割込要求確認処理をを行うことになる。さらに、データインポート割込要求確認処理においてユーザ設定情報のデータインポートが要求された場合は、それに続いて、図２６のデータインポート処理を行うことになる。
【０１４９】
また、本実施形態では、ある印刷ジョブにおいて、（一部又は全部の印刷環境項目に関する）印刷環境情報に対する加工（図１０に示すジョブナンバー１７の印刷ジョブの場合は、印刷濃度と印刷位置に対する加工）を受け付けた場合に、その印刷ジョブによる印刷の終了後に、図１１及び図１２や、図１３及び図１４をそれぞれ参照して説明したような、ユーザ設定情報の保存操作を繰り返すことで、印刷環境情報の加工情報と印刷ジョブの要素特定情報（識別情報）とを関連付けたユーザ設定情報を、外部記憶装置１３に複数パターン記憶させることができる。
【０１５０】
したがって、ジョブＮｏ．１７の印刷ジョブを実行した際に２つのユーザ設定情報（印刷環境情報Ｎｏ．１０，１１）を記憶させ、次の、ジョブＮｏ．１８の印刷ジョブを実行した際に３つのユーザ設定情報（印刷環境情報Ｎｏ．１２〜１４）を記憶させた場合には、それら５つのユーザ設定情報（印刷環境情報Ｎｏ．１０〜１５）が外部記憶装置１３に同時に記憶されていることになる。
【０１５１】
例えば、図２７に示すように、「印刷環境情報Ｎｏ．１０」のユーザ設定情報と、「印刷環境情報ＮＯ．１２」のユーザ設定情報とは、記憶している「要素特定情報」の対象が共に「ジョブ名」と「アプリ名」の内容である点で、共通している。そこで、「ジョブ名」の内容及び「アプリ名」の内容が、「印刷環境情報ＮＯ．１０」と「印刷環境情報ＮＯ．１２」とで全く同じである場合を仮定する。
【０１５２】
ここで、今後、「印刷環境情報ＮＯ．１０」や「印刷環境情報ＮＯ．１２」と同じ内容の「ジョブ名」及び「アプリ名」を「要素特定情報」（識別情報）として有する印刷ジョブが、クライアント端末３０から孔版印刷装置１の制御部９に入力されると、その印刷ジョブの「印刷環境情報」の加工には、外部記憶装置１３にユーザ設定情報として記憶されている、「印刷環境情報Ｎｏ．１０」の「加工情報」（「印刷濃度」及び「印刷位置」）と、「印刷環境情報ＮＯ．１２」の「加工情報」（「印刷速度」、「印刷濃度」、及び、「印刷位置」）とが、適していることになる。
【０１５３】
同様に、「要素特定情報」が共に「ユーザ名」である「印刷環境情報Ｎｏ．１１」と「印刷環境情報Ｎｏ．１３」とが、全く同じ内容の「ユーザ名」であると仮定すると、それと同じ内容の「ユーザ名」を「要素特定情報」（識別情報）として有する印刷ジョブが入力されると、その印刷ジョブの「印刷環境情報」の加工には、外部記憶装置１３の「印刷環境情報Ｎｏ．１１」の「加工情報」（「印刷濃度」）と、「印刷環境情報ＮＯ．１２」の「加工情報」（「印刷速度」、「印刷濃度」、及び、「印刷位置」）とが、適していることになる。
【０１５４】
このように、入力された印刷ジョブの「印刷環境情報」の加工に適したユーザ設定情報が２つ以上外部記憶装置１３に記憶されている場合は、どのユーザ設定情報の「加工情報」を適用するかを、例えば、ユーザが操作パネル部１２の表示画面上でタッチ操作により選択できるようにすることが望ましい。
【０１５５】
さらに、その選択結果をある程度記憶、蓄積し、以後は、過去の使用頻度を元にした適用の優先順位を決定して、優先順位が一番高いユーザ設定情報の「加工情報」を入力された印刷ジョブの「印刷環境情報」の加工に適用するようにすることもできる。
【０１５６】
また、本実施形態では、外部から入力された印刷ジョブの印刷環境情報に対する加工の要求を受け付けた場合に、その加工内容のうち、印刷の実行後に図１０の印刷ジョブ終了確認画面１２ｌの「保存する」ボタン１２ｍのタッチ操作によって選択された加工内容のみを、ユーザ設定情報として外部記憶装置１３に記憶させる構成とした。しかし、外部から入力された印刷ジョブの印刷環境情報に対する加工の要求を受け付けた場合に、その加工内容を全て、ユーザ設定情報として外部記憶装置１３に記憶させる構成としてもよい。
【０１５７】
さらに、本実施形態では、外部記憶装置１３に記憶されたユーザ設定情報の識別情報（ユーザの指定した項目の要素特定情報）と内容が一致する識別情報の印刷ジョブが後に入力されたときに、対応付けて外部記憶装置１３に記憶された印刷環境情報のうち、図１７のユーザ設定情報復元確認画面１２ｓ上で選択された項目の印刷環境情報のみを、入力された印刷ジョブの実行の際に適用する構成とした。しかし、外部記憶装置１３に記憶された全ての項目の印刷環境情報を、入力された印刷ジョブの実行の際に適用する構成としてもよい。
【０１５８】
また、本実施形態では、外部から入力された印刷ジョブの印刷環境情報に対する加工の内容が、図５のデジタイザ画面１２ａや図７の色指定画面１２ｃの操作によって入力される分版エリアの変更である場合について説明した。しかし、本発明における印刷環境情報に対する加工とは、分版エリアの変更だけに限らず、印刷ジョブの印刷環境情報に含まれる印刷速度、印刷濃度、あるいは、印刷位置に対する加工であってもよい。さらに、印刷環境情報の内容は、本実施形態で説明した項目に限定されない。同様に、印刷ジョブの識別情報（要素特定情報）の内容も、本実施形態で説明した項目に限定されない。
【０１５９】
さらに、本実施形態では、第１及び第２の２つの回転ドラム１０ａ，１０ｂにより２色分版を行う孔版印刷装置１を例にとって説明した。しかし、本発明は、外部から入力された印刷ジョブの実行により画像を記録紙Ｐに印刷する際に印刷ジョブ中の印刷環境情報を加工することができるものであれば、ドラム交換式を含む他の方式の孔版印刷装置や、電子写真方式、インクジェット方式等、孔版印刷以外の方式によって印刷する画像形成装置についても適用可能である。
【図面の簡単な説明】
【０１６０】
【図１】本発明による画像形成装置の一実施形態に係る孔版印刷装置の概略構成を示す説明図である。
【図２】図１の孔版印刷装置とこの孔版印刷装置に印刷ジョブを出力するクライアント端末との電気的な概略構成を示すブロック図である。
【図３】図１のクライアント端末の出力部に表示されるマニュアル分版メニュー画面を示す説明図である。
【図４】図１の孔版印刷装置の操作パネル部に表示される基本メニュー画面のうち「基本」のタブ画面を示す説明図である。
【図５】図１の孔版印刷装置の操作パネル部に表示される分版エリア加工用のデジタイザ画面を示す説明図である。
【図６】図１の孔版印刷装置の操作パネル部に表示される分版エリア加工用のデジタイザ画面を示す説明図である。
【図７】図１の孔版印刷装置の操作パネル部に表示される色指定画面を示す説明図である。
【図８】図１の孔版印刷装置の操作パネル部に表示される分版結果表示問い合わせ画面を示す説明図である。
【図９】図１の孔版印刷装置の操作パネル部に表示される分版結果画面を示すもので、（ａ）は第１回転ドラムの分版結果画面の説明図、（ｂ）は第２回転ドラムの分版結果画面の説明図である。
【図１０】図１の孔版印刷装置の操作パネル部に表示される印刷ジョブ終了確認画面を示す説明図である。
【図１１】図１の孔版印刷装置の操作パネル部に表示されるユーザ設定情報保存内容設定画面を示す説明図である。
【図１２】図１の孔版印刷装置の操作パネル部に表示されるユーザ設定情報保存内容設定画面を示す説明図である。
【図１３】図１の孔版印刷装置の操作パネル部に表示されるユーザ設定情報保存内容設定画面を示す説明図である。
【図１４】図１の孔版印刷装置の操作パネル部に表示されるユーザ設定情報保存内容設定画面を示す説明図である。
【図１５】図１の孔版印刷装置の操作パネル部に表示される基本メニュー画面のうち「機能一覧」のタブ画面を示す説明図である。
【図１６】図１の孔版印刷装置の操作パネル部に表示される印刷環境情報画面を示す説明図である。
【図１７】図１の孔版印刷装置の操作パネル部に表示されるユーザ設定情報復元確認画面を示す説明図である。
【図１８】図１の孔版印刷装置の操作パネル部に表示されるユーザ設定情報書き出し内容確認画面を示す説明図である。
【図１９】図１の孔版印刷装置の操作パネル部に表示されるユーザ設定情報読み込み内容確認画面を示す説明図である。
【図２０】図２の制御部のＣＰＵがＲＯＭに格納されたプログラムにしたがって実行する印刷ジョブ割込要求確認処理の手順を示すフローチャートである。
【図２１】図２の制御部のＣＰＵがＲＯＭに格納されたプログラムにしたがって実行するデータエクスポート割込要求確認処理の手順を示すフローチャートである。
【図２２】図２の制御部のＣＰＵがＲＯＭに格納されたプログラムにしたがって実行するデータインポート割込要求確認処理の手順を示すフローチャートである。
【図２３】図２０の印刷ジョブ実行処理の手順を示すフローチャートである。
【図２４】図２０の印刷ジョブ実行処理の手順を示すフローチャートである。
【図２５】図２１のデータエクスポート処理の手順を示すフローチャートである。
【図２６】図２２のデータインポート処理の手順を示すフローチャートである。
【図２７】図２の外部記憶装置にユーザ設定情報として記憶される印刷環境情報の印刷環境項目と印刷ジョブの要素特定情報の要素との組み合わせパターンの一例を示す説明図である。
【符号の説明】
【０１６１】
１  孔版印刷装置（画像形成装置）
１２  操作パネル部（要素選択指示手段、項目選択指示手段）
１６  ＣＰＵ（書き込み手段、読み出し手段、印刷制御手段、要素選択指示手段、項目選択指示手段、書き込み指定手段、エクスポート手段）
Ｐ  記録紙
【図１】
2010111024.tif 000003
【図２】
2010111024.tif 000004
【図３】
2010111024.tif 000005
【図４】
2010111024.tif 000006
【図５】
2010111024.tif 000007
【図６】
2010111024.tif 000008
【図７】
2010111024.tif 000009
【図８】
2010111024.tif 000010
【図９】
2010111024.tif 000011
【図１０】
2010111024.tif 000012
【図１１】
2010111024.tif 000013
【図１２】
2010111024.tif 000014
【図１３】
2010111024.tif 000015
【図１４】
2010111024.tif 000016
【図１５】
2010111024.tif 000017
【図１６】
2010111024.tif 000018
【図１７】
2010111024.tif 000019
【図１８】
2010111024.tif 000020
【図１９】
2010111024.tif 000021
【図２０】
2010111024.tif 000022
【図２１】
2010111024.tif 000023
【図２２】
2010111024.tif 000024
【図２３】
2010111024.tif 000025
【図２４】
2010111024.tif 000026
【図２５】
2010111024.tif 000027
【図２６】
2010111024.tif 000028
【図２７】
2010111024.tif 000029